(57)【要約】【課題】 内部構造がシンプルな照明装置を提供すること。【解決手段】 実施形態に伴う照明装置は、ベース部と、前記ベース部から延びて一面を有する突出部を備える放熱体と、前記突出部の一面上に配置された基板及び前記基板に配置された発光素子を備える光源部と、前記発光素子上に配置された光学板と、前記ベース部の上に配置され、前記光源部と電気的に連結された駆動部と、前記放熱体、前記光源部、前記光学板及び前記駆動部を収納するハウジングと、を備え、前記突出部の一面は、第１地点と第２地点との間に位置し、前記第１地点は、前記ハウジングの全体高さの半分に該当する地点であり、前記第２地点は、前記発光素子と前記光学板との間の最短間隔が５ｍｍの地点でもよい。【選択図】  図１
2013222709.tif 000002
【特許請求の範囲】
【請求項１】
ベース部と、前記ベース部から延びて一面を有する突出部を備える放熱体と、
前記突出部の一面上に配置された基板及び前記基板に配置された発光素子を備える光源部と、
前記発光素子上に配置された光学板と、
前記ベース部の上に配置され、前記光源部と電気的に連結された駆動部と、
前記放熱体、前記光源部、前記光学板及び前記駆動部を収納するハウジングと、
を備え、
前記突出部の一面は、第１地点と第２地点との間に位置し、
前記第１地点は、前記ハウジングの全体高さの半分に該当する地点であり、
前記第２地点は、前記発光素子と前記光学板との間の最短間隔が５ｍｍの地点である、照明装置。
【請求項２】
前記ベース部は、前記駆動部が配置される一面を有し、
前記突出部の一面の中心を通る第２の直線は、前記ベース部の一面の中心を通る第１の直線の３分の１以上２分の１以下である、請求項１に記載の照明装置。
【請求項３】
前記光源部と前記光学板との間に配置され、前記光源部から放出された光を反射する反射面を有する反射体と、
前記反射体の反射面上に配置された反射シートと、
をさらに備え、
前記反射シートは、
少なくとも一つ以上の切込部が形成された一端を有するベースシートと、
前記ベースシートの他端に配置され、前記切込部に結合される連結シートと、
を備える、請求項１又は２に記載の照明装置。
【請求項４】
前記ベースシートは帯状を有する、請求項３に記載の照明装置。
【請求項５】
前記ベースシートは、互いに離隔した第１切込部と第２切込部を備え、
前記連結シートは、第１ないし第３連結部を備え、
前記第３連結部は前記ベースシートの他端に連結され、前記第２連結部は前記第３連結部に連結され、前記第１連結部は前記第２連結部に連結され、
前記第１連結部は、前記第１及び第２切込部を貫通して前記ベースシートの一面上に配置され、
前記第２連結部は、前記第１切込部を貫通して前記ベースシートの他の一面上に配置され、
前記第３連結部は、前記ベースシートの一面上に配置される、請求項３又は４に記載の照明装置。
【請求項６】
前記第１及び第２切込部の切込の長さは、前記第２連結部の幅と同一である、請求項５に記載の照明装置。
【請求項７】
前記第１及び第３連結部の幅は、前記第２連結部の幅より大きい、請求項５又は６に記載の照明装置。
【請求項８】
前記光源部と前記光学板との間に配置された反射体をさらに備え、
前記反射体は、
前記光源部の基板上に配置され、前記光源部の基板の上面と所定の角度をなす一つの傾斜面を有する反射部と、
前記反射部上に配置され、前記光学板をガイドするガイド部と、
を備える、請求項１又は２に記載の照明装置。
【請求項９】
前記ハウジングは、上部開口と下部開口を有し、
前記上部開口には前記光学板が配置され、前記下部開口には前記放熱体のベース部を配置される、請求項１ないし８のいずれか１項に記載の照明装置。
【請求項１０】
前記放熱体の突出部は、前記放熱体のベース部の中心部に配置され、
前記駆動部は、前記放熱体の突出部が挿入される開口を有する回路基板と前記回路基板上に配置された部品を備える、請求項１ないし９のいずれか１項に記載の照明装置。
【請求項１１】
前記駆動部の回路基板と前記放熱体のベース部との間に配置された放熱パッドをさらに備える、請求項１０に記載の照明装置。
【請求項１２】
前記放熱体のベース部は締結孔を有し、
前記ハウジングは、前記放熱体の締結孔と対応する締結部を有し、
前記ハウジングの締結部は、前記駆動部の回路基板上に配置されて前記回路基板の動きを制限する、請求項１０又は１１に記載の照明装置。
【請求項１３】
前記駆動部の回路基板は、前記ハウジングの締結部が挿入され、前記回路基板の結合位置と方向を識別させるための溝を有する、請求項１２に記載の照明装置。
【請求項１４】
前記駆動部の回路基板と前記放熱体との間に配置された放熱パッドをさらに備え、
前記放熱パッドは、前記ハウジングの締結部が挿入され、前記回路基板の結合位置と方向を識別させるための溝を有する、請求項１２又は１３に記載の照明装置。
【請求項１５】
前記突出部の一面は突出したキーを有し、
前記光源部の基板は、前記キーが挿入される孔を有する、請求項１ないし１４のいずれか１項に記載の照明装置。
【請求項１６】
前記突出部の一面はスクリューと締結され、前記キーと隣接して配置された締結孔を有し、
前記光源部の基板の孔には、前記スクリューと前記キーが共に結合する、請求項１５に記載の照明装置。
【発明の詳細な説明】
【技術分野】
【０００１】
本発明は、照明装置に関する。
【背景技術】
【０００２】
発光ダイオード（ＬＥＤ）は、電気エネルギーを光に変換する半導体素子の一種である。発光ダイオードは、蛍光灯、白熱灯などの既存の光源に比べて、低消費電力、半永久的な寿命、素早い応答速度、安全性、エコロジー性の長所を有する。よって、従来の光源を発光ダイオードに代替するための様々な研究が進められており、発光ダイオードは室内外で用いられる各種ランプ、液晶表示装置、電光板、街灯などの照明装置の光源として使用が増加している趨勢である。
【発明の概要】
【発明が解決しようとする課題】
【０００３】
本発明の目的は、内部構造がシンプルな照明装置を提供することにある。
【０００４】
本発明の他の目的は、光源部と駆動部を分離させることができる照明装置を提供することにある。
【０００５】
本発明の他の目的は、光効率を向上させることができる照明装置を提供することにある。
【０００６】
本発明の他の目的は、反射効率を向上させることができる照明装置を提供することにある。
【０００７】
本発明の他の目的は、内部構成の組み立てが手軽な照明装置を提供することにある。
【課題を解決するための手段】
【０００８】
本発明の実施形態による照明装置は、ベース部と、前記ベース部から延びて一面を有する突出部を備える放熱体と、前記突出部の一面上に配置された基板及び前記基板に配置された発光素子を備える光源部と、前記発光素子上に配置された光学板と、前記ベース部の上に配置され、前記光源部と電気的に連結された駆動部と、前記放熱体、前記光源部、前記光学板及び前記駆動部を収納するハウジングと、を備え、前記突出部の一面は、第１地点と第２地点との間に位置し、前記第１地点は、前記ハウジングの全体高さの半分に該当する地点であり、前記第２地点は、前記発光素子と前記光学板との間の最短間隔が５ｍｍの地点でもよい。
【０００９】
ここで、前記ベース部は前記駆動部が配置される一面を有し、前記突出部の一面の中心を通る第２直線は、前記ベース部の一面の中心を通る第１直線の３分の１以上２分の１以下でもよい。
【００１０】
ここで、前記光源部と前記光学板との間に配置され、前記光源部から放出された光を反射する反射面を有する反射体と、前記反射体の反射面上に配置された反射シートと、をさらに備え、前記反射シートは、少なくとも一つ以上の切込部が形成された一端を有するベースシートと、前記ベースシートの他端に配置されて、前記切込部に結合される連結シートと、を備えることができる。
【００１１】
ここで、前記ベースシートは帯状を有してもよい。
【００１２】
ここで、前記ベースシートは互いに離隔した第１切込部と第２切込部を備え、前記連結シートは第１ないし第３連結部を備え、前記第３連結部は前記ベースシートの他端に連結され、前記第２連結部は前記第３連結部に連結され、前記第１連結部は前記第２連結部に連結され、前記第１連結部は前記第１及び第２切込部を貫通して前記ベースシートの一面上に配置され、前記第２連結部は前記第１切込部を貫通して前記ベースシートの他の一面上に配置され、前記第３連結部は前記ベースシートの一面上に配置することができる。
【００１３】
ここで、前記第１及び第２切込部の切込の長さは、前記第２連結部の幅と同一でもよい。
【００１４】
ここで、前記第１及び第３連結部の幅は、前記第２連結部の幅より大きくてもよい。
【００１５】
ここで、前記光源部と前記光学板との間に配置された反射体をさらに備え、前記反射体は、前記光源部の基板上に配置され、前記光源部の基板の表面と所定の角度をなす一つの傾斜面を有する反射部と、前記反射部上に配置されて、前記光学板をガイドするガイド部と、を備えることができる。
【００１６】
ここで、前記ハウジングは上部開口と下部開口を有し、前記上部開口には前記光学板が配置され、前記下部開口には前記放熱体のベース部を配置することができる。
【００１７】
ここで、前記放熱体の突出部は、前記放熱体のベース部の中心部に配置され、前記駆動部は、前記放熱体の突出部が挿入される開口を有する回路基板と前記回路基板上に配置された部品を備えることができる。
【００１８】
ここで、前記駆動部の回路基板と前記放熱体のベース部との間に配置された放熱パッドをさらに備えることができる。
【００１９】
ここで、前記放熱体のベース部は締結孔を有し、前記ハウジングは、前記放熱体の締結孔と対応する締結部を有し、前記ハウジングの締結部は、前記駆動部の回路基板上に配置されて前記回路基板の動きを制限することができる。
【００２０】
ここで、前記駆動部の回路基板は、前記ハウジングの締結部が挿入され、前記回路基板の結合位置と方向を識別させるための溝を有することができる。
【００２１】
ここで、前記駆動部の回路基板と前記放熱体との間に配置された放熱パッドをさらに備え、前記放熱パッドは、前記ハウジングの締結部が挿入され、前記回路基板の結合位置と方向を識別させるための溝を有することができる。
【００２２】
ここで、前記突出部の一面は突出したキーを有し、前記光源部の基板は、前記キーが挿入される孔を有してもよい。
【００２３】
ここで、前記突出部の一面はスクリューと締結され、前記キーと隣接して配置された締結孔を有し、前記光源部の基板の孔には、前記スクリューと前記キーを共に結合させることができる。
【発明の効果】
【００２４】
本発明の一実施形態による照明装置によれば、内部構造がシンプルな照明装置を得ることができる。
【００２５】
また、光源部と駆動部を分離させることができる。
【００２６】
また、光効率を向上させることができる。
【００２７】
また、反射効率を向上させることができる。
【００２８】
また、内部構成の組み立てが手軽な利点がある。
【図面の簡単な説明】
【００２９】
【図１】実施形態による照明装置を上から見た斜視図である。
【図２】図１に示された照明装置を下から見た斜視図である。
【図３】図１に示された照明装置の分解斜視図である。
【図４】図２に示された照明装置の分解斜視図である。
【図５】図１に示された照明装置の断面斜視図である。
【図６】図１に示された照明装置の断面図である。
【図７】反射シートの立体図である。
【図８】図７に示された反射シートの一展開図である。
【発明を実施するための形態】
【００３０】
図面において各層の厚さや大きさは、説明の便宜及び明確性のために誇張されるか、省略されるか、又は概略的に示された。また、各構成要素の大きさは、実際の大きさを全体的に反映するものではない。
【００３１】
また、本発明による実施形態の説明において、各基板の「上又は下（ｏｎ ｏｒ ｕｎｄｅｒ）」に形成されるものと記載される場合において、上又は下（ｏｎ ｏｒ ｕｎｄｅｒ）は、二つの同一の基板が互いに直接（ｄｉｒｅｃｔｌｙ）接触するか、又は一つ以上の別の基板が当該同一の基板の間に配置されて（ｉｎｄｉｒｅｃｔｌｙ）形成されることを全て含む。また、上又は下（ｏｎ ｏｒ ｕｎｄｅｒ）と表現される場合、一つの基板を基準として上側方向だけではなく下側方向の意味も含まれる。
【００３２】
以下、添付された図面を参照して本発明の実施形態に伴う照明装置を説明する。
【００３３】
図１は、実施形態による照明装置を上から見た斜視図であり、図２は、図１に示された照明装置を下から見た斜視図であり、図３は、図１に示された照明装置の分解斜視図であり、図４は、図２に示された照明装置の分解斜視図であり、図５は、図１に示された照明装置の断面斜視図であり、図６は、図１に示された照明装置の断面図である。
【００３４】
図１ないし図６を参照すると、実施形態による照明装置は、ハウジング（ｈｏｕｓｉｎｇ）１００、光学板２００、反射体３００、光源部４００、駆動部５００及び放熱体６００を備えることができる。
【００３５】
以下で具体的に各構成要素を説明することにする。
【００３６】
＜ハウジング＞
ハウジング１００は、光学板２００、反射体３００、光源部４００、駆動部５００及び放熱体６００を収納することができる。ハウジング１００は、放熱体６００とともに実施形態に伴う照明装置の外観を構成することができる。
【００３７】
ハウジング１００は、円筒形状を有することができる。しかし、これに限定されるのではなく、ハウジング１００は多角筒形状を有してもよい。
【００３８】
円筒形状のハウジング１００は、光学板２００、反射体３００、光源部４００、駆動部５００及び放熱体６００を収納するために、中空の形状でもよい。
【００３９】
ハウジング１００は、上面と底面に該当する部分が開放された状態にある。したがって、ハウジング１００は２つの開口を有することができるが、以下では説明の便宜のため、前記２つの開口を上部開口１１０ａと下部開口１１０ｂとそれぞれ命名することにする。
【００４０】
光学板２００、反射体３００、光源部４００、駆動部５００及び放熱体６００は、ハウジング１００の下部開口１１０ｂを介して上部開口１１０ａ側方向に順次収納することができる。ここで、上部開口１１０ａの直径は、下部開口１１０ｂの直径より小さく設計することができる。
【００４１】
ハウジング１００の上部開口１１０ａには光学板２００を配置することができる。具体的に、上部開口１１０ａの直径は、光学板２００の直径より小さく設計することにより、光学板２００はハウジング１００の上部開口１１０ａを通過することができず、ハウジング１００の上部開口１１０ａに配置することができる。
【００４２】
ハウジング１００の下部開口１１０ｂには放熱体６００が配置される。具体的に、放熱体６００のベース部６１０をハウジング１００の下部開口１１０ｂに配置することができる。
【００４３】
ハウジング１００は締結部１３０を有することができる。締結部１３０は、ハウジング１００の内面の下端部に配置することができる。締結部１３０はハウジング１００の内面から外側に突出したものでもよい。締結部１３０にはスクリューが挿入されて固定することができる。前記スクリューは、放熱体６００の締結孔６１３を貫通して締結部１３０に結合することができる。
【００４４】
また、締結部１３０は、図５及び図６に示されるように、駆動部５００をハウジング１００内部に固定させるための手段でもよい。具体的に、締結部１３０は駆動部５００の回路基板５１０上に配置され、回路基板５１０を下に押して回路基板５１０の動きを制限することができる。締結部１３０は、放熱体６００の支持部６１５と放熱パッド７００とともに回路基板５１０の動きを遮断することができる。すなわち、回路基板５１０の下には支持部６１５と放熱パッド７００が配置され、回路基板５１０上には締結部１３０が配置されて回路基板５１０の動きを遮断することができる。
【００４５】
ハウジング１００は凸部１５０を有してもよい。凸部１５０は、ハウジング１００の外面から外側に突出したものであって、複数でもよい。凸部１５０は実施形態に伴う照明装置を、特定の場所、例えば、天井などに固定させるためのものである。
【００４６】
ハウジング１００は溝１７０を有してもよい。溝１７０には、駆動部５００の突出板５３０と補助栓１８０を配置することができる。
【００４７】
ハウジング１００は補助栓１８０を有してもよい。補助栓１８０は、ハウジング１００の溝１７０に挿入される。補助栓１８０は、駆動部５００の突出板５３０とともに溝１７０を塞ぐことができる。
【００４８】
ハウジング１００はキー１９０を有してもよい。キー１９０は、駆動部５００と放熱体６００がハウジング１００の下部開口１１０ｂに配置される際に、駆動部５００と放熱体６００の結合方向と結合位置を知らせる役割をすることができる。キー１９０は、ハウジング１００の外面から内面方向に彫られた溝形状でもよい。また、キー１９０は、ハウジング１００の内面からハウジング１００の内部に突出した形状を有してもよい。このようなキー１９０は、駆動部５００のキー溝５５０に挿入され、放熱体６００のキー溝６１１に挿入することができる。
【００４９】
キー１９０において、駆動部５００のキー溝５５０と結合する部分と放熱体６００のキー溝６１１と結合する部分とが互いに異なる形状を有してもよい。具体的に、キー１９０は、駆動部５００のキー溝５５０に挿入される第１のキーと放熱体６００のキー溝６１１に挿入される第２のキーを備えることができる。第１のキーは第２のキーより体積がさらに大きくてもよい。したがって、第１のキーに挿入される駆動部５００のキー溝５５０は、第２のキーに挿入される放熱体６００のキー溝６１１より大きくてもよい。このように、第１のキーと第２のキーが互いに異なる形状を有すると、駆動部５００と放熱体６００の結合方向と位置を容易に識別することができ、実施形態に伴う照明装置の組み立てが楽で容易である。
【００５０】
＜光学板＞
光学板２００は、ハウジング１００の内部に配置される。具体的に、光学板２００は、ハウジング１００の上部開口１１０ａに配置することができる。
【００５１】
光学板２００は、ハウジング１００と放熱体６００の結合によって、ハウジング１００と反射体３００との間に挟まれることによって、別の締結手段なしに、ハウジング１００の上部開口１１０ａに配置することができる。これは、光学板２００の直径がハウジング１００の上部開口１１０ａの直径より大きいために可能である。
【００５２】
光学板２００の外面又は内面には、乳白色の塗料をコーティングすることができる。塗料には光学板２００を通過する光を拡散させる拡散剤が含まれる。
【００５３】
光学板２００の材質はガラスでもよい。しかし、ガラスは重さや外部衝撃に弱い問題点があるため、光学板２００は、プラスチック、ポリプロピレン（ＰＰ）、ポリエチレン（ＰＥ）等でもよい。好ましくは、耐光性、耐熱性、衝撃強度の特性に優れた光拡散用ポリカーボネート（ＰＣ）でもよい。
【００５４】
光学板２００の内面の粗さは、光学板２００の外面の粗さより大きいこともある。光学板２００の内面の粗さが光学板２００の外面の粗さより大きければ、光源部４００からの光を十分に散乱及び拡散させることができる。
【００５５】
光学板２００は、光源部４００からの光を励起させることができる。光学板２００は、光源部４００からの光を励起させるために、蛍光体を有してもよい。蛍光体は、ガーネット（Ｇａｒｎｅｔ）系統（ＹＡＧ，ＴＡＧ）、シリケート（Ｓｉｌｉｃａｔｅ）系、ナイトライド（Ｎｉｔｒｉｄｅ）系、及びオキシナイトライド（Ｏｘｙｎｉｔｒｉｄｅ）系の何れか一つ以上を含んでもよい。光学板２００は、黄色系列の蛍光体を含んで光源部４００からの光を自然光（白色光）に変えることができるが、演色指数の向上と色温度の低減のために緑色系列の蛍光体や赤色系列の蛍光体をさらに含むことができる。ここで、蛍光体の色相による添加の割合は、赤色系列の蛍光体よりは緑色系列の蛍光体を、緑色系列の蛍光体よりは黄色系列の蛍光体をさらに多く用いることができる。黄色系列の蛍光体としては、ガーネット系のＹＡＧ、シリケート系、オキシナイトライド系を用い、緑色系列の蛍光体としては、シリケート系、オキシナイトライド系を用い、赤色系列の蛍光体はナイトライド系を用いることができる。
【００５６】
＜反射体＞
反射体３００はハウジング１００の内部に配置される。具体的に、反射体３００は、ハウジング１００の下部開口１１０ｂを介してハウジング１００の内部空間に収納することができる。
【００５７】
反射体３００は光源部４００上に配置される。具体的に、反射体３００は、光源部４００の基板４１０上に配置され、発光素子４３０を囲むように配置することができる。
【００５８】
反射体３００は、光学板２００と基板４１０との間で圧迫されてハウジング１００の内部に固定することができる。
【００５９】
反射体３００は、ハウジング１００と放熱体６００の結合により、光学板２００を支持してハウジング１００の上部開口１１０ａに固定することができる。
【００６０】
反射体３００は、反射部３１０とガイド部３３０を備えることができる。
【００６１】
反射部３１０は、光源部４００からの光を光学板２００に反射する。
【００６２】
反射部３１０は、基板４１０から光学板２００側に行くほど直径が増加する円筒形状を有してもよい。反射部３１０の下端部は基板４１０上に配置され、上端部には光学板２００が配置される。
【００６３】
反射部３１０は、基板４１０の表面と所定の角度ａをなす一つの反射面３１０ａを有する。前記所定の角度ａは鈍角でもよい。
【００６４】
反射部３１０上には光学板２００が配置される。反射部３１０の反射面３１０ａは、光学板２００の内面と鋭角ｂをなしてもよい。
【００６５】
ガイド部３３０は、反射部３１０の上端部の上に配置される。ガイド部３３０は、反射部３１０の上段部から上に突出した形状でもよい。このようなガイド部３３０は、光学板２００の外周をガイドして光学板２００の動きを制限することができる。
【００６６】
反射体３００の反射部３１０上には、反射シート（図示せず）を配置することができる。反射シート（図示せず）について、以下で図面を参照して具体的に説明することにする。
【００６７】
＜反射シート＞
実施形態に伴う照明装置は、反射シートをさらに備えることができる。このために、図７ないし図８を参照して具体的に説明することにする。
【００６８】
図７は、反射シート３０００の立体図である。
【００６９】
図７を参照すると、反射シート３０００は、図１ないし図６に示された反射体３００の反射面３１０ａ上に配置することができる。具体的に、反射シート３０００は、反射面３１０ａに接触するように配置することができる。
【００７０】
反射シート３０００は、反射面３１０ａに対応する形状を有している。しかし、これに限定されるのではなく、反射シート３０００は反射面３１０ａと異なる形状を有してもよい。
【００７１】
具体的に、反射シート３０００は、内面３０００ａ及び外面３０００ｂを有している。
【００７２】
内面３０００ａは、光源部４００からの光を反射するための材質でもよい。外面３０００ｂは反射面３１０ａと面接触をする。ここで、外面３０００ｂは、反射面３１０ａとの接着のために接着物質で塗布されたものでもよい。
【００７３】
図８は、図７に示された反射シート３０００の展開図である。ここで、図８に示された反射シート３０００の展開図は、図７に示された反射シート３０００の一例である。
【００７４】
図８を参照すると、反射シート３０００は、ベースシート３１００と連結シート３５００を備える。
【００７５】
ベースシート３１００は、半径がｃである円形シートでもよい。そして、前記円形シートは、半径がｄである円形の開口を有する。前記円形の開口は、ベースシート３１００の中心に配置される。ここで、ベースシート３１００は、円形シートに限定されるものではない。ベースシート３１００は、ストレートシートでもよい。
【００７６】
具体的に、ベースシート３１００は帯状でもよい。帯状のベースシート３１００は、一部分が除去された形状を有してもよい。したがって、帯状のベースシート３１００は、一端と他端を有してもよい。
【００７７】
ベースシート３１００は、両端のいずれか一端に形成された少なくとも一つ以上の切込部３１１０，３１５０を有してもよい。そして、連結シート３５００は、ベースシート３１００の他端に配置され、切込部３１１０，３１５０と結合することができる。
【００７８】
具体的に、ベースシート３１００は、少なくとも二つの第１及び第２切込部３１１０，３１５０を有する。具体的に、第１及び第２切込部３１１０，３１５０は、ベースシート３１００の一端側に配置される。第１及び第２切込部３１１０，３１５０の切込の長さは、連結シート３５００の第２連結部３５３０の幅と同一であり、第１及び第３連結部３５１０，３５５０の幅より小さくてもよい。第１及び第２切込部３１１０，３１５０には連結シート３５００を挿入することができる。
【００７９】
連結シート３５００は、ベースシート３１００の他端からベースシート３１００の一端方向に延びたものでもよい。このような連結シート３５００は、ベースシート３１００の第１及び第２切込部３１１０，３１５０と結合することができる。
【００８０】
具体的に、連結シート３５００は、第１連結部３５１０、第２連結部３５３０及び第３連結部３５５０を備えることができる。第３連結部３５５０はベースシート３１００の他端に連結され、第２連結部３５３０は第３連結部３５５０に連結され、第１連結部３５１０は第２連結部３５３０に連結される。
【００８１】
第１連結部３５１０と第３連結部３５５０の幅は同一であるが、第２連結部３５３０の幅は、第１及び第３連結部３５１０，３５５０の幅より小さくてもよい。そして、第１及び第３連結部３５１０，３５５０の幅は、第１及び第２切込部３１１０，３１５０の切込の長さよりさらに長くてもよい。第１及び第３連結部３５１０，３５５０の幅が第１及び第２切込部３１１０，３１５０の切込の長さよりさらに長ければ、第１及び第２切込部３１１０，３１５０に挿入された連結シート３５００の動きを制限することができる。
【００８２】
第１連結部３５１０は、ベースシート３１００の裏面から第１切込部３１１０に進入して第１切込部３１１０と第２切込部３１５０を順に貫通した後、ベースシート３１００の裏面上に配置することができる。そして、第２連結部３５３０は、第１連結部３５１０に従って第１切込部３１１０を貫通した後、ベースシート３１００の前面上に配置することができる。そして、第３連結部３５５０は第２連結部３５３０に従って移動し、ベースシート３１００の裏面上に配置することができる。
【００８３】
図８に示された反射シート３０００において、第２連結部３５３０の幅は、第１及び第３連結部３５１０，３５５０の幅より小さく、第１及び第２切込部３１１０，３１５０の切込の長さが第２連結部３５３０の幅と同一なので、連結シート３５００とベースシート３１００は結合した後に再び分離しにくく、材質はシートだが結合した形状をそのまま維持することができる利点がある。
【００８４】
図７及び図８に示された反射シート３０００は簡単に組み立てた後、反射体３００上に容易に設置できる利点があり、あえて反射体３００の材質を反射物質で実現する必要がないので、費用が節減される利点がある。
【００８５】
＜光源部＞
光源部４００は、光を放出する発光素子４３０を有する。
【００８６】
光源部４００はハウジング１００の内部に配置され、放熱体６００上に配置される。具体的に、光源部４００は放熱体６００の突出部６３０上に配置される。
【００８７】
光源部４００は、基板４１０と基板４１０上に配置された発光素子４３０を備えることができる。
【００８８】
基板４１０は円形の板状を有するが、これに限定されず、多様な形態を有してもよい。例えば、多角形の板状でもよい。基板４１０は絶縁体に回路パターンが印刷されたものであり、例えば、一般の印刷回路基板（ＰＣＢ：Ｐｒｉｎｔｅｄ Ｃｉｒｃｕｉｔ Ｂｏａｒｄ）、メタルコア（ＭｅｔａｌＣｏｒｅ）ＰＣＢ、フレキシブル（Ｆｌｅｘｉｂｌｅ）ＰＣＢ、セラミックＰＣＢなどが含まれる。また、印刷回路基板の上にパッケージしないＬＥＤチップを直接ボンディングすることができるＣＯＢ（Ｃｈｉｐｓ Ｏｎ Ｂｏａｒｄ）タイプを使うことができる。また、基板４１０は、光を効率的に反射する材質で形成されたり、表面が光を効率的に反射するカラー、例えば白色、銀色などで形成することができる。
【００８９】
基板４１０は、放熱体６００と反射体３００との間に配置される。具体的に、基板４１０は、放熱体６００の突出部６３０上に配置され、基板４１０上に反射体３００が配置される。
【００９０】
また、基板４１０は、駆動部５００上に配置されて駆動部５００と物理的に分離するように配置される。すなわち、基板４１０と駆動部５００は空間的に離隔する。このように、光源部４００と駆動部５００が物理的、又は空間的に分離して配置されれば、駆動部５００からの熱が直接光源部４００に伝わらない利点があり、光源部４００からの熱が駆動部５００に直接伝わらず、駆動部５００の回路部品を保護できる利点がある。また、駆動部５００と光源部４００が互いに独立的に配置されるため、維持及び保守が容易な利点もある。
【００９１】
基板４１０は、孔４１５を有してもよい。孔４１５は、放熱体６００のキー６３１と結合する。孔４１５とキー６３１の結合によって、放熱体６００の突出部６３０に配置される基板４１０の結合方向と結合位置を識別することができる。また、孔４１５にはスクリューを挿入することができる。前記スクリューは、孔４１５に挿入されて放熱体６００の締結孔６３３に結合することができる。これを通して、基板４１０は放熱体６００と結合することができる。基板４１０の孔４１５は、スクリューと放熱体６００のキー６３１が共に挿入されるために、放熱体６００の締結孔６３３よりさらに大きくてもよい。
【００９２】
基板４１０は、駆動部５００の回路基板５１０と電気的に連結されるための連結基板４５０を有してもよい。連結基板４５０は、基板４１０の一側から外部に延びたものでもよい。
【００９３】
連結基板４５０と回路基板５１０は、電線を介して連結することができる。それだけでなく、連結基板４５０と回路基板５１０は電線を使用せず、別途の独立的な構成であるコネクタ（図示せず）を介して電気的に連結することができる。
【００９４】
発光素子４３０は、基板４１０の一面に複数個が配置される。
【００９５】
発光素子４３０は、赤色、緑色、青色の光を放出する発光ダイオードチップやＵＶを放出する発光ダイオードチップでもよい。ここで、発光ダイオードは、水平型（Ｌａｔｅｒａｌ Ｔｙｐｅ）又は垂直型（Ｖｅｒｔｉｃａｌ Ｔｙｐｅ）でもよく、発光ダイオードは青色（Ｂｌｕｅ）、赤色（Ｒｅｄ）、黄色（Ｙｅｌｌｏｗ）、又は緑色（Ｇｒｅｅｎ）を発散することができる。
【００９６】
発光素子（４３０）は蛍光体を有してもよい。蛍光体は、発光ダイオードが青色発光ダイオードである場合、ガーネット（Ｇａｒｎｅｔ）系（ＹＡＧ、ＴＡＧ）、シリケート（Ｓｉｌｉｃａｔｅ）系、ナイトライド（Ｎｉｔｒｉｄｅ）系、及びオキシナイトライド（Ｏｘｙｎｉｔｒｉｄｅ）系の少なくとも一つ以上を含んでもよい。
【００９７】
＜駆動部＞
駆動部５００は外部から電源が提供され、提供された電源を光源部４００に合うように変換する。そして、変換された電源を光源部４００に供給する。
【００９８】
駆動部５００はハウジング１００内部に配置され、放熱体６００のベース部６１０上に配置される。
【００９９】
駆動部５００は、回路基板５１０と回路基板５１０上に載置される多数の部品５２０とを備えることができる。多数の部品５２０は、例えば、外部電源から提供される交流電源を直流電源に変換する直流変換装置、光源部４００の駆動を制御する駆動チップ、光源部４００を保護するためＥＳＤ（Ｅｌｅｃｔｒｏｓｔａｔｉｃ Ｄｉｓｃｈａｒｇｅ）保護素子などを備えることができる。
【０１００】
回路基板５１０は円形の板状を有するが、これに限定されず、多様な形態を有することができる。例えば、楕円形又は多角形の板状でもよい。このような回路基板５１０は、絶縁体に回路パターンが印刷されたものでもよい。
【０１０１】
回路基板５１０は、放熱体６００の支持部６１５とハウジング１００の締結部１３０との間に配置され、ハウジング１００内部に固定することができる。または、回路基板５１０は放熱パッド７００とハウジング１００の締結部１３０との間に配置され、ハウジング１００内部に固定することができる。もし、放熱パッド７００が放熱体６００の一部分にだけ配置された場合には、回路基板５１０は、放熱体６００の支持部６１５、放熱パッド７００及びハウジング１００の締結部１３０によりハウジング１００内部に固定することができる。
【０１０２】
回路基板５１０は突出板５３０を有してもよい。突出板５３０は、回路基板５１０から外側方向に突出又は延びた形状を有してもよい。突出板５３０は、回路基板５１０と異なり、ハウジング１００内部でない外部に配置され、外部から電源が提供される。
【０１０３】
突出板５３０はハウジング１００の溝１７０に挿入され、補助栓１８０によりハウジング１００に固定することができる。
【０１０４】
回路基板５１０は、キー溝５５０を有してもいよい。キー溝５５０にはハウジング１００のキー１９０が挿入される。キー溝５５０により、回路基板５１０の結合方向と結合位置を識別することができる。
【０１０５】
回路基板５１０は、挿入孔５６０を有してもよい。挿入孔５６０は、回路基板５１０の中心に配置することができる。挿入孔５６０に放熱体６００の突出部６３０が挿入される。放熱体６００の突出部６３０が挿入孔５６０を貫通して配置されることによって、光源部４００と駆動部５００を空間又は物理的に分離することができる。
【０１０６】
回路基板５１０は溝５１５を有してもよい。溝５１５には、ハウジング１００の締結部１３０を挿入することができる。締結部１３０が溝５１５に挿入されれば、回路基板５１０の動きを止めることができ、回路基板５１０の配置方向や位置を識別することができる。
【０１０７】
＜放熱体＞
放熱体６００はハウジング１００と結合する。具体的に、ハウジング１００の下部開口１１０ｂに配置することができる。
【０１０８】
放熱体６００は、光源部４００と駆動部５００からの熱を放熱することができる。
【０１０９】
具体的に、放熱体６００は、ベース部６１０と突出部６３０を有してもよい。
【０１１０】
ベース部６１０は、所定の厚さを有する円形の板状でもよく、回路基板５１０が配置される第１の面を有してもよい。突出部６３０は、ベース部６１０の中心から上に突出又は延びた形状を有してもよく、基板４１０が配置される第２の面を有してもよい。ここで、第１の面と第２の面は所定の段差を有する。第２の面が第１の面上に位置する。第１の面と第２の面の段差によって、基板４１０と回路基板５１０を空間的に分離することができる。
【０１１１】
ベース部６１０の第１の面の中心を通る第１の直線と突出部６３０の第２の面の中心を通る第２の直線は、所定の関係を有してもよい。以下で具体的に説明することにする。ここで、第１の直線は、ベース部６１０の第１の面上に存在し、第２の直線は突出部６３０の第２の面上に存在するものと仮定する。
【０１１２】
突出部６３０の第２の直線は、ベース部６１０の第１の直線の３分の１以上２分の１以下でもよい。第２の直線が第１の直線の３分の１以上２分の１以下であれば、その他の範囲より放熱性能をさらに向上させることができ、駆動部５００を収納できる適切な空間を確保することができる。具体的に、第２の直線が第１の直線の３分の１よりさらに小さければ、光源部４００で発生した熱が突出部６３０を介してベース部６１０に効率的に伝えることができない。そして、第２の直線が第１の直線の２分の１よりさらに大きければ、駆動部５００を収納できる空間が狭くなる。
【０１１３】
ベース部６１０上に駆動部５００の回路基板５１０が配置され、突出部６３０上に光源部４００の基板４１０が配置される。突出部６３０は、回路基板５１０の挿入孔５６０を貫通する。ベース部６１０と突出部６３０により、光源部４００と駆動部５００が物理的又は空間的に分離されて配置される。また、ベース部６１０と突出部６３０により、ハウジング１００の内部において光源部４００を駆動部５００上に配置することができる。
【０１１４】
突出部６３０はベース部６１０と一体でもよい。すなわち、突出部６３０とベース部６１０は、ダイキャスト（ｄｉｅｃａｓｔｉｎｇ）方法で製作され、突出部６３０とベース部６１０が一つの物体で製作されたものでもよい。それだけでなく、突出部６３０とベース部６１０は、互いに独立的な構成で製作され結合することができる。
【０１１５】
ベース部６１０はキー溝６１１を有してもよい。キー溝６１１は、ベース部６１０の外周から突出部６３０方向に彫られた溝でもよい。キー溝６１１には、ハウジング１００のキー１９０が挿入される。キー溝６１１により、放熱体６００の結合方向と結合位置を容易に識別することができる。
【０１１６】
ベース部６１０はスクリューが貫通する孔６１３を有してもよい。孔６１３にスクリューが挿入され、ハウジング１００の締結部１３０と結合する。孔６１３の数は、締結部１３０と対応する個数ほど有してもよい。
【０１１７】
ベース部６１０は、支持部６１５を有してもよい。支持部６１５は、駆動部５００の回路基板５１０を支持する。支持部６１５は、ベース部６１０から突出部６３０方向に突出したものでもよい。支持部６１５の高さは、放熱パッド７００の厚さと同一でもよい。支持部６１５によって、駆動部５００の回路基板５１０が、ベース部６１０の第１の面と平行するように固定することができる。
【０１１８】
ベース部６１０は、駆動部５００が配置される上面と外部に露出する下面とを有してもよい。ここで、下面は平らである。下面が平たければ、放熱が効果的である利点がある。
【０１１９】
突出部６３０は、光源部４００の基板４１０が配置される一面を有してもよい。突出部６３０の一面は、実施形態に伴う照明装置内の特定位置に配置されれば、所定の効果を発揮することができる。以下、具体的に説明することにする。
【０１２０】
突出部６３０の一面は、第１地点と第２地点との間に配置することができる。前記第１地点は、ハウジング１００の全体高さの半分に該当する地点であり、前記第２地点は、発光素子４３０と光学板２００との間の最短間隔が５ｍｍである地点でもよい。
【０１２１】
突出部６３０の一面が、前記第１地点と前記第２地点との間に配置されれば、前記第１地点と前記第２地点の外に配置されるときより、放熱効率を向上させることができ、光効率（１ｍ／ｗ）を向上させることができ、ホットスポット（ｈｏｔ ｓｐｏｔ）の発生を減らすことができる。もう少し具体的には、突出部６３０の一面が前記第１地点の下に配置されれば、発光素子４３０と光学板２００との間の距離が遠のくため、実施形態に伴う照明装置の光効率（１ｍ／ｗ）が低下するおそれがある。そして、突出部６３０の一面が前記第２地点の上に、すなわち、発光素子４３０と光学板２００との間の最短間隔が５ｍｍ以内である地点に配置されれば、発光素子４３０によるホットスポットが光学板２００に発生するおそれがある。
【０１２２】
突出部６３０はキー６３１を有してもよい。キー６３１は、突出部６３０の上面に複数で配置することができる。キー６３１は、光源部４００の基板４１０の孔４１５に挿入される。キー６３１を介して基板４１０の位置と方向を識別することができる。
【０１２３】
突出部６３０は、締結孔６３３を有してもよい。締結孔６３３は、キー６３１と隣接して配置することができる。締結孔６３３は、光源部４００の基板４１０の孔４１５に挿入されたスクリューと結合する。
【０１２４】
放熱体６００は、熱放出効率に優れた金属材質又は樹脂材質で形成することができるが、これに限定はしない。例えば、前記放熱体６００の材質は、アルミニウム（Ａｌ）、ニッケル（Ｎｉ)、銅（Ｃｕ）、銀（Ａｇ）、錫（Ｓｎ）及びマグネシウム（Ｍｇ）の少なくとも一つを含むことができる。
【０１２５】
＜反射体、光源部及び放熱体＞
図６を参照すると、放熱体６００上に光源部４００が、光源部４００上に反射体３００が配置される。具体的に、放熱体６００の突出部６３０上に光源部４００の基板４１０が、基板４１０上に反射体３００の反射部３１０が配置される。しかし、これに限定されるのではなく、放熱体６００上に光源部４００と反射体３００を共に配置することができる。具体的に、放熱体６００の突出部６３０の上面上に光源部４００の基板４１０が配置され、反射体３００の反射部３１０が基板４１０を囲みながら突出部６３０の上面上に配置することもできる。
【０１２６】
ハウジング１００、光学板２００及び放熱体６００のベース部６１０により画定される内部収納空間は制限的である。したがって、従来の照明装置のように、光源部と駆動部が一体である場合、すなわち、光源部の基板と駆動部の回路基板が一体であれば、基板の位置はハウジングの下端部に位置することになる。これに伴い、従来の照明装置の反射体の大きさと高さは大きくなる。そうすると、基板と光学板との間の距離が遠のくので、光学板から放出される光の効率が悪くなる。
【０１２７】
しかし、実施形態に伴う照明装置は、光源部４００が駆動部５００と分離し、放熱体６００の突出部６３０の高さを設計者の意図どおりに変更させることができる。したがって、光源部４００を光学板２００にさらに近く位置させることができる。また、反射体３００の反射面３１０ａを複数の面で構成する必要がなく、一つの反射面３１０ａで構成することができる利点がある。また、反射体３００の反射面３１０ａと基板４１０がなす角度ａをさらに広げることができるので、光学板２００から放出される光効率を増大させることができる。
【０１２８】
＜放熱パッド＞
実施形態に伴う照明装置は、放熱パッド７００をさらに備えることができる。
【０１２９】
放熱パッド７００は、放熱体６００と駆動部５００との間に配置することができる。具体的に、放熱パッド７００は、放熱体６００のベース部６１０と駆動部５００の回路基板５１０との間に配置することができる。ここで、放熱パッド７００は、ベース部６１０の一部分に配置することができる。
【０１３０】
放熱パッド７００は所定の厚さを有し、駆動部５００の回路基板５１０からの熱をベース部６１０に素早く伝達することができる。
【０１３１】
放熱パッド７００は、回路基板５１０において特定の部分にのみ配置することができるが、これは、回路基板５１０の上に配置される多数の部品５２０のうち特に熱をたくさん放出する部品、例えば、変圧器の下に配置することができる。
【０１３２】
放熱パッド７００の厚さは、放熱体６００の支持部６１５の高さと同一でもよい。放熱パッド７００と支持部６１５によって、駆動部５００の回路基板５１０がベース部６１０の上面と平行するように配置することができる。
【０１３３】
放熱パッド７００は、溝７１５を有してもよい。溝７１５にはハウジング１００の締結部１３０を配置することができる。締結部１３０を溝７１５に挿入すれば、放熱パッド７００の動きを止めることができ、放熱パッド７００の配置方向や位置を識別することができる。
【０１３４】
以上において実施形態を中心に説明したが、これは単に例示であるだけであって、本発明を限定する訳ではなく、本発明が属する分野における通常の知識を有する者であれば、本実施形態の本質的な特性を外れない範囲で、以上において例示されない様々な変形と応用が可能であることが分かるはずである。例えば、実施形態に具体的に示された各構成要素は、変形して実施することができる。そして、このような変形と応用に係る相違点は、添付の特許請求の範囲において規定する本発明の技術的範囲に含まれるものと解釈されるべきである。
【符号の説明】
【０１３５】
１００    ハウジング
２００    光学板
３００    反射体
４００    光源部
５００    駆動部
６００    放熱体
７００    放熱パッド
【図１】
2013222709.tif 000003
【図２】
2013222709.tif 000004
【図３】
2013222709.tif 000005
【図４】
2013222709.tif 000006
【図５】
2013222709.tif 000007
【図６】
2013222709.tif 000008
【図７】
2013222709.tif 000009
【図８】
2013222709.tif 000010